(57)【要約】【解決課題】パチンコ機における電気部品と中継端子基板若しくは制御装置とを接続する配線コードが相互の距離の違いからまちまちとなって使用不能となるのを改善すること。【解決手段】電気部品（３４）と長さの異なる複数種の配線コード（２９，３０，３１）とを準備する一方、前記電気部品（３４）には接続コネクタ端子（２８１）を、そして前記各配線コードの一端部には前記電気部品の前記接続コネクタ端子（２８１）と、また他端部には中継端子基板（９）若しくは前記電気部品を制御する制御装置に備える接続コネクタ端子（１７，１８）とそれぞれ接続する接続コネクタ端子（３２，３３）をそれぞれ備え、使用部所に応じて前記配線コード（２９，３０，３１）を選択して該配線コードと前記電気部品とを前記接続コネクタ端子を介して接続するようにする。【選択図】          図１
2004167078.tif 000002
【特許請求の範囲】
【請求項１】
遊技盤に設置される電気部品と中継端子基板若しくは前記電気部品を制御する制御装置とを配線コードを介して接続する遊技盤における配線の処理構造において、前記電気部品と配線コードとを別体にして電気部品には接続コネクタ端子を、また前記配線コードの一端部には上記電気部品の接続コネクタ端子と、他端部には前記中継端子基板若しくは前記制御装置に備える接続コネクタ端子とそれぞれ接続する接続コネクタ端子を備え、該それぞれの接続コネクタ端子相互を接続することによって前記電気部品と中継端子基板若しくは前記制御装置とを前記配線コードを介して接続することを特徴とした遊技盤における配線の処理構造。
【請求項２】
請求項１の記載において、配線コードは長さを違えた複数種類形成し、電気部品と中継端子基板又は制御装置との距離に応じた適切な長さの配線コードを選択し前記電気部品に接続することを特徴とした遊技盤における配線の処理構造。
【請求項３】
請求項２の記載において、複数種類の配線コードには識別の色標識を付すことを特徴とした遊技盤における配線の処理構造。
【請求項４】
請求項３の記載において、色標識は配線コードの被覆部に施すことを特徴とした遊技盤における配線の処理構造。
【請求項５】
請求項３又は４の記載において、色標識は配線コードの両端部に備える接続コネクタ端子に施すことを特徴とした遊技盤における配線の処理構造。
【発明の詳細な説明】
【０００１】
【発明の属する技術分野】
本発明は、パチンコ機の遊技盤に設備される諸種の電気部品と、この電気部品を制御する制御装置との間に介挿される中継端子基板又は前記制御装置とを接続する配線の処理に関する。
【０００２】
【従来の技術】
パチンコ機の遊技盤に設置される入賞装置の入賞球検出スイッチの信号や、入賞の表示、特別入賞状態の発生等を告知するための表示ランプの点灯、或は入賞装置の作動を制御する制御信号の伝達、更には各装置への電力の供給等は、これらの電気部品とそれぞれを制御する制御装置、或は電源とを接続する配線コードを介して行われる。
【０００３】
周知の様に、配線コードは遊技盤の背面に沿って付設され電気部品と制御装置との間を継ぐが、多数の電気部品の設置に伴って多くの信号を交信する必要から、また表示ランプや入賞装置の駆動源となるソレノイドやモータに給電することから遊技盤の背面には電源用コードを加えた多数本の配線コードが配設される。そして、これらの多くの配線コードを取り纏めて処理を容易にし、且つ安全に行うために一般には中継端子基板を備えてこの基板を介して接続するようにしている。
【０００４】
しかし、遊技盤に設置される電気部品は入賞装置を例にするまでもなく、多くのものが遊技盤の全面に亘り分散するように配置されるため、一定位置に設けられる中継端子基板、或は遊技盤の背面に取付けられ前記電気部品を制御して遊技を行う制御装置との間に距離の差ができることになる。
【０００５】
このため、従来は電気部品には設計の段階でそれぞれ異なる長さの配線コードを接続して備え、この長さの違うコードをそれぞれの電気部品から引き伸して中継端子基板に継ぎ、両者の間にコードの弛みを生じないようにして整然とした配線処理を行うようにしている。
【０００６】
この配線コードの処理方法は近時のパチンコ機において一般に実施されている。例を挙げるまでもないが、例えば特許第２８０５０８０号公報に記載される方法がその一例である（特許文献１）。
【０００７】
【特許文献１】
特許２８０５０８０号公報  第３頁左欄第１２行目〜第１８行目、同第４９行目〜同頁右欄第２行目、同頁右欄第１５行目〜第２１行目、及び第１図、第２図、第３図、第４図。
【０００８】
従来製造されているパチンコ機は全てこの方式によっている。中継端子基板を介挿することに併せて各電気部品とこの基板との距離に合せた配線コードを用意することによりコードの弛みや引き連れがなく、従って配線同志の絡みや、部品の組付け作業中に引っかけて断線するような危険がなく整然とした配線処理が行えるものとなっている。
【０００９】
【発明が解決しようとする課題】
しかし、この電気部品に配線コードを予め備える構造は、同一機種における場合は極めて有利であるが、他機種に使用する場合は電気部品の変更や設置位置の変更、中継端子基板の設置位置の変更等設計の変更に伴って相互間の距離が変りまちまちになるため、配線コードが短くなったり、長過ぎたりして適合しなくなり、多くの場合部品として全く遜色無いにも拘わらず廃棄処分されることが多い。
【００１０】
本発明は、この様な事情に鑑み開発されたもので、その目的とするところは入賞装置に組入れられる検出スイッチやソレノイド、表示ランプや装飾用ランプに予め接続されることによって製造後長さの変更が不能となる電気部品の配線コードの固定化を改善することにある。
【００１１】
即ち、本発明は例えばパチンコ機の新機種の開発に伴って遊技盤の設計変更により各電気部品の設置位置が変更し、接続する中継端子基板、又は前記制御装置等との距離が変った場合において、この変更に対応して常に適正な配線状態が得られるようにした遊技盤の配線の処理構造を提供しようとするものである。
【００１２】
【課題を解決するための手段】
本発明は上記目的を達成するため、電気部品とこれに接続される配線コードとを別体にして電気部品には接続コネクタ端子を一体に又は短少な補助コードを介して備え、他方配線コードには両端部に接続コネクタ端子を備えて電気部品の使用時に上記接続コネクタ端子相互の結合操作によって電気部品と配線コードとを接続し、この配線コードの他端の接続コネクタ端子を中継端子基板、又は制御装置に予め備える接続コネクタ端子に接合することにより両者の電気的接続を行うようにしたことにある。
【００１３】
この配線の処理方式によれば、両端部に接続コネクタ端子を備えた配線コードを長さを違えた複数種類を準備しておくことによって電気部品には設計に基づく設置位置に適合させた配線コードを選択し接続させることができるため、機種の変更等によって異なる長さの配線コードを求められた場合でも同一の電気部品をもって対応することができ、従来のように配線コードの長さの不適合を理由にして使用可能な電気部品が使用できなくなる等の不都合が解消され、また廃棄処分されるような不経済性が解消されることになる。
【００１４】
また本発明においては長さを異にする複数種類の配線コードを用意することで、あらゆる設計に対応することができると共に、配線コード若しくは端部に備える接続コネクタ端子を着色し、色標識を付すことによって中継端子基板の接続端子に着色表示する色との色合せにより誤配線を未然に防止することができる。
【００１５】
本発明を更に詳述すれば、遊技盤に設置される電気部品と中継端子基板とを配線コードを介して接続する遊技盤における配線の処理構造において、前記電気部品と配線コードとを別体にして電気部品には接続コネクタ端子を、また前記配線コードの一端部には上記電気部品の接続コネクタ端子と、そして他端部に前記中継端子基板に備える接続コネクタ端子又は前記制御装置に備える接続コネクタ端子とそれぞれ接続する接続コネクタ端子を備え、該それぞれの接続コネクタ端子相互の接続によって前記電気部品と中継端子基板とを前記配線コードを介して接続することを特徴とした遊技盤における配線の処理構造を提供することにある。
【００１６】
また本発明は、前記配線コードは長さを違えた複数種類形成し、そのいずれかを選択し電気部品に接続することを特徴とした遊技盤における配線の処理構造を提供することにある。
【００１７】
また本発明は、前記複数種の配線コードには色標識を付し識別可能とすることを特徴とした遊技盤における配線の処理構造を提供することにある。
【００１８】
また本発明は、前記配線コードの色標識はコードの被覆部に施すことを特徴とした遊技盤における配線の処理構造を提供することにある。
【００１９】
また本発明は、前記配線コードの色標識は両端部に備える接続コネクタ端子に施すことを特徴とした遊技盤における配線の処理構造を提供することにある。
次に、本発明を図示する実施例に基づき詳述し、その他の特徴について併せて説明することにする。
【００２０】
【発明の実施の形態】
【実施例】
図１は本発明に係る配線の処理構造の使用状態を説明する概略説明図であり、図中の符号１はパチンコ機に装備される遊技盤を示す。
【００２１】
図示する遊技盤１は、その背面を表しており、中央上部には液晶表示装置を装着するための装着用孔２が開設してある。その両側方には入賞状態を告知する表示ランプを装着するランプ取付部３、３が、そして前記装着用孔２の下方左右には通常入賞口装置を装着する装着部４、４が、またこの装着部の下の中央部分には前記液晶表示装置の作動を開始させる始動用入賞口装置を取付ける取付部５がそれぞれ設けてあり、更に最下端に形成するアウト口６の上方には大入賞口装置を取付ける取付部７が設けてある。
【００２２】
一方、遊技盤１の前記装着用孔２の左側部の背面に外部に備える図示しない遊技盤の各種電気部品を制御して遊技の制御を行う制御装置に配線コード８を介して接続する主中継端子基板９を備え、更に前記始動用入賞口装置の取付部５を挟む左右に第１，第２の従中継端子基板１０、１１を備えている。
【００２３】
図面には前記それぞれの装着部に図示を省略したそれぞれの装置の接続コネクタ端子が表現されている。即ち、前記装着用孔２に取付けられた液晶表示装置の接続コネクタ端子１２が、ランプ取付部３にはそれぞれ複数の表示ランプが取付けられた接続端子基板に表示ランプの接続コネクタ端子１３、１３が、また通常入賞口装置の装着部４には通常入賞口装置に設けられている検出スイッチの接続コネクタ端子１４が、また装着部５には始動入賞口装置に設けられている検出スイッチの接続コネクタ端子１５が、そして取付部７には大入賞口装置の接続端子基板１６が設けられる。
【００２４】
前記主中継端子基板９には前記表示ランプの接続コネクタ端子１３，１３と接続するための接続コネクタ端子１７、１８と、前記液晶表示装置の接続コネクタ端子１２と接続するための液晶表示装置用の接続コネクタ端子１９と、第１、第２の従中継端子基板に接続する接続コネクタ端子２０、２１が設けてあり、更に第１の従中継端子基板１０には主中継端子基板９と、通常入賞口装置の接続コネクタ端子１４及び大入賞口装置に設けられた各種電気部品と各接続される接続コネクタ端子２２、２４、２３が、また第２の従中継端子基板１１には主中継端子基板９と、そして通常入賞口装置の接続コネクタ端子１４と始動用入賞口装置の接続コネクタ端子１５に各接続される接続コネクタ端子２５、２６、２７が設けてある。
【００２５】
更に大入賞口装置の接続端子基板１６には大入賞口装置に設けられている入賞球を検出する検出スイッチや装飾ランプ等を接続する接続コネクタ端子２８Ａ，２８Ｂ，２８Ｃを備えると共に、端子２８Ａ，２８Ｂ，２８Ｃとプリント配線により接続されて前記接続コネクタ端子２３に接続される接続コネクタ端子２８が設けてある。
【００２６】
前記主中継端子基板９を中心にしてこれから最も遠い位置にある右方のランプ装着部３と第２従中継端子基板１１に対しては長尺な配線コード２９が使用され、接続コネクタ端子１７と１３、及び接続コネクタ端子２０と２５をそれぞれ接続している。
【００２７】
そして、主中継端子基板９と第１従中継端子基板１０の間には半長の配線コード３０が使用され、また第１の従中継端子基板１０と大入賞口装置の接続コネクタ端子２８並びに通常入賞口装置１４の間、更に第２の従中継端子基板１１と通常入賞口装置１４、主中継端子基板９と液晶表示装置並びに表示ランプの接続コネクタ端子１３、始動用入賞口装置１５のそれぞれの間には短尺な配線コード３１が使用され、それぞれの接続コネクタ端子の接続によって継がれている。
【００２８】
図２には上記使用される長さを違えた３種類の配線コード２９、３０、３１を示している。これらの各配線コードの両端部には接続コネクタ端子３２、３３が備えてあり、この端子によって各中継端子基板９、１０、１１と、通常入賞口装置や始動用入賞口装置等の電気部品に各備えられる接続コネクタ端子とを接合し、接続される。
【００２９】
一方、図３は電気部品における接続コネクタ端子２８１の備え付けの実際を電気部品の１つであるソレノイド３４につき示した一例である。このソレノイド３４は前記大入賞口装置の背面に備えられる開閉扉を作動させるためのものであり、前記接続コネクタ端子は前述した接続コネクタ端子２８と、接続端子基板１６に施してあるプリント配線により接続される接続コネクタ端子２８Ａに接続するものとなる。
【００３０】
ここにおける接続コネクタ端子２８１は短尺な補助コード３５を介してソレノイド３４に接続させてあり、この補助コード３５によって奥まった位置にソレノイド３４が設置されたとき、外側に引き出して前記接続コネクタ端子２８Ａとの接続作業を容易に行えるようにしている。
【００３１】
図４は接続コネクタ端子２８１をソレノイドの基体部分に一体に備えた例を示したもので、配線コードの端子を直接これに接合することによって無用な絡み付きを防止した例である。このようにすると、補助コード３５に代えて例えば配線コード３１を用いて接続コネクタ端子２８Ａに接続してもよい。
この構造は大入賞口装置を遊技盤に設置したときソレノイド３４の接続コネクタ端子２８が外に露出した状態に取付くとき有利に利用することができる。
【００３２】
尚、接続端子基板１６に設けている接続コネクタ端子２８Ａ，２８Ｂ，２８Ｃは大入賞口装置に設けられている球を検出するスイッチや装飾ランプとを接続するためのものである。
【００３３】
図５及び図６は接続コネクタ端子１４の設備状態を入賞口の入賞球検出用のスイッチ３６について示したものである。図５は前記図３の場合と同様にスイッチ３６に対して補助コード３５を介して接続し設けた場合であり、図６はスイッチ３６に直接接続コネクタ端子１４を形成し備え付けた例である。
【００３４】
以上説明の通り、本発明においては検出用のスイッチ３６、開閉扉の駆動源となるソレノイド３４を始め、表示ランプや液晶表示装置等の遊技盤に備えられる諸種の電気部品について直接的に、若しくは短尺な補助コードを介して接続コネクタ端子１４、２８を備え、他方これら電気部品のリード線となる配線コード２９、３０、３１を電気部品とは別体に形成してその両端部にそれぞれ接続コネクタ端子３２、３３を備え、電気部品の使用に当って、当該電気部品と接続対象となる中継端子基板との距離に合せて前記それぞれの配線コードを選択し接続するものとしたことから、常に適正な長さの配線コードを備えた電気部品を得ることができることになる。
【００３５】
従って、機種の相違によって電気部品と中継端子基板との距離が変更された場合においても適切な配線コードを選択することによって常に適正な状態で接続することができる。
【００３６】
尚、本発明においては配線コードについて長さを異にした複数種類を準備しておくことであらゆる条件に対応できると共に、これら配線コードのコード部分若しくは接続コネクタ端子３２、３３の部分を着色して色標識を付しておけば、中継端子基板の接続コネクタ端子に表示する色標識に合せることで誤配線を容易に回避することが可能となる。
また、遊技盤の背面に制御装置を取付けて前記それぞれの従中継端子基板や電気部品とを接続するようにしてもよい。
【００３７】
【発明の効果】
以上の説明から明らかな様に、本発明によれば各入賞口（入賞装置）における検出スイッチ、扉の開閉用動力となるソレノイド、表示用或は照明用のランプや液晶表示装置、入賞装置に組込まれる各種の表示装置等の電気部品について、これらに備えられる配線コードを別体にし、且つ長さを異にする複数種類を準備し、使用に当ってこれら配線コードの内適正な長さの配線コードを選択し前記電気部品に取り付けるものとしたことから、配線コードの長さの不適合を原因にして使用不能となることがない。
従って、使用が特定の機種に限定されることがないため予め量産し、保管しておくことが可能であり、また使用不能による廃棄処分の問題も自動的に解消されることからコスト削減において有利である。
【００３８】
また本発明は、複数種類準備される配線コードに着色して色標識を付すことで接続対象を迅速に選択することが可能である。
従って、作業が容易になると共に、接続を誤り誤配線となるのを未然に防止することができる。そして、誤配線したときには直ちに発見できることから安全に使用することができる。
【図面の簡単な説明】
【図１】遊技盤に設置される電気部品と中継端子基板とを長さを異にした配線コードによって接続する関係を示した説明図。
【図２】長さを異にした一部に欠截した配線コードの正面図。
【図３】補助コードを介して接続コネクタ端子を備えた電気部品の一種であるソレノイドの斜視図。
【図４】接続コネクタ端子を一体に備えたソレノイドの斜視図。
【図５】補助コードを介して接続コネクタ端子を備えた電気部品の一種である入賞装置の検出スイッチの斜視図。
【図６】接続コネクタ端子を一体に備えた検出スイッチの斜視図である。
【符号の説明】
１                  遊技盤
９、１０、１１      中継端子基板
１２、１３、１４、１５    接続コネクタ端子
１７〜２８          接続コネクタ端子
２９、３０、３１    配線コード
３２、３３          配線コードの端部に備えた接続コネクタ端子
３４                電気部品たるソレノイド
３５                補助コード
３６                電気部品たる検出スイッチ
【図１】
2004167078.tif 000003
【図２】
2004167078.tif 000004
【図３】
2004167078.tif 000005
【図４】
2004167078.tif 000006
【図５】
2004167078.tif 000007
【図６】
2004167078.tif 000008